(57)【要約】【課題】コストと手間をかけることなく、単独の印刷であっても色較正を行う。【解決手段】画像データに基づいて記録用紙上に画像形成を行う印刷部１５と、印刷部１５による画像データに基づく画像の一の記録用紙への形成と並行して、印刷部１５により所定の記憶色の画像が当該記録用紙に最初に形成された位置における記憶色の実際の色特性を検出する色特性読取部１６と、色特性読取部１６により検出された色特性および記憶色に対応する所定の基準色特性を比較し、比較結果に基づいて記憶色の色特性を補正して同一の記録用紙における画像形成処理に反映させる色変換部１８と、を備える。【選択図】図１
2009207121.tif 000002
【特許請求の範囲】
【請求項１】
画像データに基づいて記録用紙上に画像形成を行う画像形成部と、
前記画像形成部による前記画像データに基づく画像の一の前記記録用紙への形成と並行して、当該画像形成部により当該記録用紙に最初に形成された所定の記憶色の画像の位置における前記記憶色の色特性を検出する色特性検出部と、を備え、
前記画像形成部は、前記色特性検出部により検出された色特性および前記記憶色に対応する所定の基準色特性を比較し、比較結果に基づいて前記記憶色の色特性を補正して同一の前記記録用紙における画像形成処理に反映させる色補正部を備えた、
ことを特徴とする画像形成装置。
【請求項２】
画像データに基づいて記録用紙上に画像形成を行う画像形成部と、
前記画像形成部による前記画像データに基づく画像の一の前記記録用紙への形成と並行して、当該画像形成部により当該記録用紙に形成された所定の記憶色の画像のうちいずれかの位置における前記記憶色の色特性を検出する色特性検出部と、を備え、
前記画像形成部は、前記色特性検出部により検出された色特性および前記記憶色に対応する所定の基準色特性を比較し、比較結果に基づいて前記記憶色の色特性を補正して同一の前記記録用紙における画像形成処理に反映させる色補正部を備えた、
ことを特徴とする画像形成装置。
【請求項３】
請求項１または２記載の画像形成装置において、
前記記憶色は、人の肌の色であり、
前記色特性検出部は、前記画像データに基づいて、当該画像データに対応する画像中に含まれる人の顔の領域を検出する顔領域検出部を備え、
前記顔領域検出部により検出された人の顔の領域のうちいずれかの位置における前記記憶色の色特性を検出する、
ことを特徴とする画像形成装置。
【請求項４】
請求項１ないし請求項３のいずれかに記載の画像形成装置において、
前記画像形成部は、走査機構により走査されて画像形成を行う記録ヘッドを有し、
前記色特性検出部を構成し、前記記録用紙上に形成された画像の色特性を検出する光学センサが前記記録ヘッドに一体に設けられている、
ことを特徴とする画像形成装置。
【請求項５】
走査機構により走査される記録ヘッドと、画像の色特性を検出する光学センサと、を有し、画像データに基づいて記録用紙上に画像を形成する画像形成装置の制御方法であって、
前記画像データに基づいて前記記録用紙上に画像形成を行う画像形成過程と、
前記画像形成過程における前記画像データに基づく画像の一の前記記録用紙への形成と並行して、当該画像形成過程により当該記録用紙に形成された所定の記憶色の画像のうちいずれかの位置における前記記憶色の実際の色特性を前記光学センサを介して検出する色特性検出過程と、を備え、
前記画像形成過程は、前記色特性検出過程において検出された色特性および前記記憶色に対応する所定の基準色特性を比較し、比較結果に基づいて前記記憶色の色特性を補正して同一の前記記録用紙における画像形成処理に反映させる色補正過程を備えた、
ことを特徴とする画像形成装置の制御方法。
【請求項６】
走査機構により走査される記録ヘッドと、画像の色特性を検出する光学センサと、を有し、画像データに基づいて記録用紙上に画像を形成する画像形成装置をコンピュータにより制御するための制御プログラムであって、
前記画像データに基づいて前記記録用紙上に前記記録ヘッドにより画像形成を行わせ、
前記画像データに基づく前記画像の一の前記記録用紙への形成と並行して、当該画像形成により当該記録用紙に形成された所定の記憶色の画像のうちいずれかの位置における前記記憶色の実際の色特性を前記光学センサを介して検出させ、
検出された色特性および前記記憶色に対応する所定の基準色特性を比較し、比較結果に基づいて前記記憶色の色特性を補正して同一の前記記録用紙における画像形成処理に反映させる、
ことを特徴とする制御プログラム。
【発明の詳細な説明】
【技術分野】
【０００１】
画像形成装置、画像形成装置の制御方法および制御プログラムに係り、特に人の肌の色、空の色、木々の葉の色などのように人の記憶においてイメージがある程度固定している色である記憶色の補正をリアルタイムで行って画像を形成する画像形成装置、画像形成装置の制御方法および制御プログラムに関する。
【背景技術】
【０００２】
従来、インクジェットプリンタなどのカラープリンタにおいて写真印刷をする際には、メーカー指定の記録用紙を使用することで、発色を保証する構成をとっていた。
したがって、メーカー指定ではないサードパーティー製の用紙を使った場合には、紙特性が異なるので，印刷時の色合いがメーカー指定の記録用紙を使用した場合と異なり、仕上りの印象が変わってしまってユーザの期待するものとは異なってしまうという不具合があった。
特に撮影された対象物に人の顔（肌）、空の色、木々の葉の色などの記憶色が含まれている場合には、大きくユーザのイメージと異なって印刷されてしまうこととなり、より一層、ユーザに不満の残るものとなっていた。
【特許文献１】特開平１０− ２２４６５３号公報
【特許文献２】特許第３１５０３０５号公報
【発明の開示】
【発明が解決しようとする課題】
【０００３】
上記不具合を解決するために、特許文献１記載の技術は、カラープリンタの色較正を行うに際して、用紙の種類毎に目標値を予め決めて記憶しておく必要があり、メーカー指定（自社製）の用紙特性に基づいた目標値のみならずサードパーティー製の用紙を全て網羅しようとすると、コストと手間が非常にかかってしまうという問題点があった。
また特許文献２記載の技術は、連続的な印刷によって色較正を実現しているため、キャリブレーションの回数が多く、単独の印刷には対応出来ないという問題点があった。
そこで、本発明の目的は、コストと手間をかけることなく、単独の印刷であっても色較正を行うことが可能な画像形成装置、画像形成装置の制御方法および制御プログラムを提供することにある。
【課題を解決するための手段】
【０００４】
上記課題を解決するため、本発明の第１の態様の画像形成装置は、画像データに基づいて記録用紙上に画像形成を行う画像形成部と、前記画像形成部による前記画像データに基づく画像の一の前記記録用紙への形成と並行して、当該画像形成部により当該記録用紙に最初に形成された所定の記憶色の画像の位置における前記記憶色の色特性を検出する色特性検出部と、を備え、前記画像形成部は、前記色特性検出部により検出された色特性および前記記憶色に対応する所定の基準色特性を比較し、比較結果に基づいて前記記憶色の色特性を補正して同一の前記記録用紙における画像形成処理に反映させる色補正部を備えた、ことを特徴とするものである。
上記構成によれば、画像形成部は、画像データに基づいて記録用紙上に画像形成を行う。
【０００５】
一方、色特性検出部は、画像形成部による前記画像データに基づく画像の一の記録用紙への形成と並行して、当該画像形成部により所定の記憶色の画像が当該記録用紙に最初に形成された位置における記憶色の色特性を検出する。
これにより、画像形成部の色補正部は、色特性検出部により検出された色特性および記憶色に対応する所定の基準色特性を比較し、比較結果に基づいて記憶色の色特性を補正して同一の記録用紙における画像形成処理に反映させる。
したがって、画像形成中に色補正を自動的に行え、キャリブレーションなどの前処理の必要がなく、ユーザにそれらの操作を意識させることがないとともに、１部しか画像形成（印刷）を行わないような場合や、様々な種類の記録用紙を混在させて画像形成（印刷）を行う場合でも、容易に対応させることが可能となる。また、確実かつ迅速に補正処理を行える。
【０００６】
また、本発明の第２の態様の画像形成装置は、画像データに基づいて記録用紙上に画像形成を行う画像形成部と、前記画像形成部による前記画像データに基づく画像の一の前記記録用紙への形成と並行して、当該画像形成部により当該記録用紙に形成された所定の記憶色の画像のうちいずれかの位置における前記記憶色の色特性を検出する色特性検出部と、を備え、前記画像形成部は、前記色特性検出部により検出された色特性および前記記憶色に対応する所定の基準色特性を比較し、比較結果に基づいて前記記憶色の色特性を補正して同一の前記記録用紙における画像形成処理に反映させる色補正部を備えた、ことを特徴とするものである。
上記構成によれば、画像形成部は、画像データに基づいて記録用紙上に画像形成を行う。
【０００７】
一方、色特性検出部は、画像形成部による前記画像データに基づく画像の一の記録用紙への形成と並行して、当該画像形成部により当該記録用紙に形成された所定の記憶色の画像のうちいずれかの位置における記憶色の色特性を検出する。
これにより、画像形成部の色補正部は、色特性検出部により検出された色特性および記憶色に対応する所定の基準色特性を比較し、比較結果に基づいて記憶色の色特性を補正して同一の記録用紙における画像形成処理に反映させる。
したがって、画像形成中に色補正を自動的に行え、キャリブレーションなどの前処理の必要がなく、ユーザにそれらの操作を意識させることがないとともに、１部しか画像形成（印刷）を行わないような場合や、様々な種類の記録用紙を混在させて画像形成（印刷）を行う場合でも、容易に対応させることが可能となる。
【０００８】
また、第３の態様は、第１または第２の態様の画像形成装置において、前記記憶色は、人の肌の色であり、前記色特性検出部は、前記画像データに基づいて、当該画像データに対応する画像中に含まれる人の顔の領域を検出する顔領域検出部を備え、前記顔領域検出部により検出された人の顔の領域のうちいずれかの位置における前記記憶色の色特性を検出する、ことを特徴としている。
上記構成によれば、顔領域検出部は、画像データに基づいて、当該画像データに対応する画像中に含まれる人の顔の領域を検出する。
これにより、色特性検出部は、顔領域検出部により検出された人の顔の領域のうちいずれかの位置における前記記憶色の色特性を検出するので、記憶色の領域のうち、より注目度が高い人の顔の肌の色を補正することができ、より記憶色に忠実な補正が行える。
【０００９】
また、第４の態様は、第１の態様ないし第４の態様の画像形成装置において、前記画像形成部は、走査機構により走査され画像形成を行う記録ヘッドを有し、前記色特性検出部を構成し、前記記録用紙上に形成された画像の色特性を検出する光学センサが前記記録ヘッドに一体に設けられている、ことを特徴としている。
上記構成によれば、光学センサは、記録ヘッドが走査されて記録用紙上に画像を形成するのと並行して記録用紙上に形成された画像の色特性を検出することができ、リアルタイムで補正を反映させることができる。
【００１０】
また、第５の態様は、走査機構により走査される記録ヘッドと、画像の色特性を検出する光学センサと、を有し、画像データに基づいて記録用紙上に画像を形成する画像形成装置の制御方法であって、前記画像データに基づいて前記記録用紙上に画像形成を行う画像形成過程と、前記画像形成過程における前記画像データに基づく画像の一の前記記録用紙への形成と並行して、当該画像形成過程により当該記録用紙に形成された所定の記憶色の画像のうちいずれかの位置における前記記憶色の実際の色特性を前記光学センサを介して検出する色特性検出過程と、を備え、前記画像形成過程は、前記色特性検出過程において検出された色特性および前記記憶色に対応する所定の基準色特性を比較し、比較結果に基づいて前記記憶色の色特性を補正して同一の前記記録用紙における画像形成処理に反映させる色補正過程を備えた、ことを特徴としている。
【００１１】
上記構成によれば、色補正過程は、色特性検出過程において検出された色特性と、記憶色に対応する所定の基準色特性と、を比較し、比較結果に基づいて記憶色の色特性を補正して同一の記録用紙における以降の画像形成処理に反映させるので、画像形成中に色補正を自動的に行え、キャリブレーションなどの前処理の必要がなく、ユーザにそれらの操作を意識させることがないとともに、１部しか画像形成（印刷）を行わないような場合や、様々な種類の記録用紙を混在させて画像形成（印刷）を行う場合でも、容易に対応させることが可能となる。
【００１２】
また、第６の態様は、走査機構により走査される記録ヘッドと、画像の色特性を検出する光学センサと、を有し、画像データに基づいて記録用紙上に画像を形成する画像形成装置をコンピュータにより制御するための制御プログラムであって、前記画像データに基づいて前記記録用紙上に前記記録ヘッドにより画像形成を行わせ、前記画像データに基づく前記画像の一の前記記録用紙への形成と並行して、当該画像形成により当該記録用紙に形成された所定の記憶色の画像のうちいずれかの位置における前記記憶色の色特性を前記光学センサを介して検出させ、検出された色特性および前記記憶色に対応する所定の基準色特性を比較し、比較結果に基づいて前記記憶色の色特性を補正して同一の前記記録用紙における画像形成処理に反映させる、ことを特徴としている。
【００１３】
上記構成によれば、検出された色特性と、記憶色に対応する所定の基準色特性と、を比較し、比較結果に基づいて記憶色の色特性を補正して同一の記録用紙における以降の画像形成処理に反映させるので、画像形成中に色補正を自動的に行え、キャリブレーションなどの前処理の必要がなく、ユーザにそれらの操作を意識させることがないとともに、１部しか画像形成（印刷）を行わないような場合や、様々な種類の記録用紙を混在させて画像形成（印刷）を行う場合でも、容易に対応させることが可能となる。
【００１４】
本発明の他の態様としては、以下のものが挙げられる。
他の態様の画像形成装置は、画像データに基づく記録用紙上への画像形成中に所定の記憶色の画像が形成されると、前記記録用紙上における前記記憶色の色特性を検出する色特性検出部と、検出した色特性が所定の基準色特性となるように色補正して、当該画像形成中の画像の以降の画像形成処理に反映する色補正部と、を備えることを特徴としている。
上記構成によれば、色特性検出部は、画像データに基づく記録用紙上への画像形成中に所定の記録色の画像が形成されると、前記記録用紙上における前記記憶色の色特性を検出する。
これにより、色補正部は、検出した色特性が所定の基準色特性となるように色補正して、当該画像形成中の画像の以降の画像形成処理に反映する。
したがって、画像形成中に当該画像形成中の画像の色補正を行えるため、別途キャリブレーション処理を行う必要なく、ユーザの記憶色のイメージに沿った画像を得ることができる。
【００１５】
さらに他の態様の画像形成装置は、画像データに基づく記録用紙上への画像形成を行うに際し、所定の記憶色で画像が形成される前記記録用紙上のいずれかの位置を予め特定する形成位置特定部と、前記特定された位置に画像が形成されると、当該位置における色特性を検出する色特性検出部と、検出した色特性が所定の基準色特性となるように色補正して、当該画像形成中の画像の以降の画像形成処理に反映する色補正部と、を備えることを特徴としている。
上記構成によれば、形成位置特定部は、入力された画像データに基づく記録用紙上への画像形成を行うに際し、所定の記憶色で画像が形成されるいずれかの位置（例えば、所定の記憶色で画像が最初に形成される位置）を予め特定する。
これにより、色特性検出部は、前記特定された記録用紙上の位置に画像が形成されると、当該位置における色特性を検出する。
【００１６】
色補正部は、検出した色特性が所定の基準色特性となるように色補正して、当該画像形成中の画像の以降の画像形成処理に反映する。
したがって、画像形成中に当該画像形成中の画像の色補正を行えるとともに、その処理は、前記特定された位置に所定の記憶色で画像が形成された場合だけでよいため、別途キャリブレーション処理を行う必要もなく、また、処理が不必要に複雑になることなく、ユーザの記憶色のイメージに沿った画像を得ることができる。
これらの場合において、複数枚の同種の記録用紙に、同一の画像を形成（コピー）する場合には、最初の画像形成処理に用いた色補正を適用するようにすればよい。
【発明を実施するための最良の形態】
【００１７】
次に図面を参照して本発明の好適な実施の形態について説明する。
図１は、実施形態の画像形成処理装置の機能構成概要ブロック図である。
画像形成処理装置１０は、ユーザが指定した画像に対応する画像データを入力する画像入力部１１と、画像入力部１１を介して入力された画像データを格納する画像格納部１２と、画像格納部１２に格納された画像データに基づいて対応する画像における記憶色領域（たとえば、顔などの人の肌が含まれる領域）を検出する記憶色領域検出部１３と、画像格納部１２に格納された画像データに基づいて対応する画像を表示する画像表示部１４と、画像格納部１２に格納された画像データに基づいて対応する画像を記録用紙に印刷する印刷部１５と、印刷部１５における画像の印刷と並行して、記録用紙に印刷された画像中に含まれる記憶色、具体的には、本実施形態においては、人の肌の画像が印刷されている位置に対応する色の色特性を読み取る色特性読取部１６と、色特性読取部１６により読み取った色特性を所定の基準色特性と比較し、色変換テーブル（以下、ＬＵＴという。）１７を用いて色変換を行う色変換部１８と、記憶色領域検出部１３の検出結果に基づいて、対応する記憶色に対応する画素についてＬＵＴ１７を用いた色変換を行うか否かを判定する判定部１９と、を備えている。
【００１８】
上記構成によれば、画像形成処理装置１０の画像入力部１１は、ユーザが指定した画像に対応する画像データを入力し、画像格納部１２は、入力された画像データを格納する。
これにより、記憶色領域検出部１３は、形成位置特定部として機能し、画像格納部１２に格納された画像データに基づいて対応する画像における記憶色領域を検出する。
また、画像表示部１４は、画像格納部１２に格納された画像データに基づいて対応する画像を表示する。
一方、印刷部１５は、画像形成部として機能し、画像格納部１２に格納された画像データに基づいて対応する画像を記録用紙に印刷する。
このとき、色特性読取部は、印刷部１５における画像の印刷位置が記憶色領域に至ると、記録用紙に印刷された画像中に含まれる記憶色の画像が印刷されている位置に対応する色の色特性を読み取る。
【００１９】
これらの結果、判定部１９は、記憶色領域検出部１３の検出結果に基づいて、対応する記憶色に対応する画素についてＬＵＴ１７を用いた色変換を行うか否かを判定し、この判定結果に基づいて、色変換部１８は、ＬＵＴ１７を用いた色変換を行う場合に、色特性読取部１６により読み取った色特性を所定の基準色特性と比較し、ＬＵＴ１７を用いて色変換を行う。
そして、形成中の画像に含まれる記憶色の領域、すなわち、人の顔の領域は、最初に当該領域が画像として形成された時点で、どのように色補正を行うかが判断され、当該画像形成において、以降は人の顔の領域についてＬＵＴ１７を用いた色補正が行われることとなる。
したがって、ユーザがキャリブレーションなどの処理を意識することなく、ユーザの記憶色のイメージにあった印刷がなされることとなる。
【００２０】
図２は、画像形成処理装置をプリンタ／スキャナ複合機として構成した場合の概要構成ブロック図である。
画像形成処理装置１０は、コンピュータとして構成されており、タッチパネル、ボタンスイッチなどの操作入力装置２１と、画像入力部１１として機能し、画像データを読み込むためのスキャナ装置２２と、画像表示部１４として機能し、画像データに基づく画像を表示する表示装置２３と、画像格納部１２として機能し、画像データを記憶するハードディスク装置などの外部記憶装置２４と、画像データをメモリカードなどの記憶媒体に書き込み、あるいは、メモリカードなどの記憶媒体から読み込むカードリーダライタ装置２５と、ＬＡＮあるいはインターネットなどの通信ネットワークに接続され、画像データの送受信を含む通信制御を行う通信インタフェース装置２６と、画像データに基づく画像を記録用紙ＣＳ上に形成し、印刷するプリンタ装置２７と、当該画像形成処理装置１０を制御するためのコントロール装置２８と、を備えている。
【００２１】
この場合において、スキャナ装置２２としては、ＣＣＤ（Ｃｈａｒｇｅ  Ｃｏｕｐｌｅｄ  Ｄｅｖｉｃｅ）あるいはＣＩＳ（Ｃｏｎｔａｃｔ  Ｉｍａｇｅ  Ｓｅｎｓｏｒ）を用いたスキャナ装置が用いられる。
表示装置２３としては、液晶ディスプレイ、ＥＬディスプレイなどが用いられる。
また、プリンタ装置２７としては、昇華型プリンタ、インクジェットプリンタなどのカラー印刷が可能で、走査型の記録ヘッド２７Ａを有するプリンタが用いられる。そして、このプリンタ装置２７の記録ヘッド２７Ａには、記憶色領域検出部１３として機能する光学センサ２７Ｂが設けられている。
【００２２】
また、コントロール装置２８は、当該コントロール装置を制御するＭＰＵ３１と、制御用プログラムを含む各種データを記憶したＲＯＭ３２と、ワーキングエリアとして機能し、各種データを一時的に記憶するＲＡＭ３３と、各部を相互に接続するバス３４と、画像形成処理装置１０を構成する各部との間のインタフェース動作を行うインタフェース部（不図示）と、を備えている。
【００２３】
次に実施形態の動作を説明する。
以下の説明においては、記憶色領域として、人の顔の肌の色が形成された領域を扱うものとする。また、画像形成対象の画像データは、メモリカードにより入力されるものとする。なお、ここでは、画像形成対象の画像データが記憶された記憶媒体としてメモリカードを用いた場合について説明するが、当該記憶媒体としてはメモリカードに限らず、ＲＯＭ等の他の記憶媒体を用いることもできる。
【００２４】
図３は、実施形態の動作説明図である。
図４は、画像形成処理のメインルーチンの処理手順を示すフローチャートである。
まず、画像形成処理装置１０のコントロール装置２８を構成するＭＰＵ３１は、ユーザによりカードリーダライタ装置２５に画像データが記録されたメモリカードがセットされ、操作入力装置２１を介して画像形成が指示されると、カードリーダライタ装置２５を制御し、セットされたメモリカードから画像データを読み込む（ステップＳ１１）。
この場合において、画像データに対応する元の画像Ｇは、図３（Ａ）に示すように、木Ｔの前に顔Ｆを正面に向けた人Ｍが立っている写真であるものとする。
そして、ＭＰＵ３１は、読み込んだ画像データを外部記憶装置２４の記憶領域に格納するとともに、ＲＡＭ３３上に画像Ｇを展開し、記憶色領域として、図３（Ｂ）に示すように、人Ｍの顔Ｆを含む領域ＡＦを検出する顔検出処理を行い（ステップＳ１２）、顔Ｆが検出された場合には，顔領域や位置（たとえば、顔領域を矩形で表現する場合の領域開始座標のｘ座標、ｙ座標）や顔の輪郭を含めたサイズ等を記憶しておくこととなる。
【００２５】
ここで、顔検出処理について説明する。
図５は、顔検出処理の処理手順を示すフローチャートである。
まず、ＭＰＵ３１は、顔検出を実行すると、記憶色検出部ＲＡＭ３３に展開した画像について記憶色領域検出部１３として機能し、記憶色である人の肌の色が現れている領域、すなわち、人の顔が含まれる領域ＡＦを検出する（ステップＳ２１）。
【００２６】
具体的には、この記憶色領域検出部１３として機能するＭＰＵ３１においては、輝度やエッジから生成される画像特徴量に基づいて特定の大きさの画像を顔らしい領域と検出する方式や、顔画像が肌色であることを利用して色分布に基づき顔があるらしい領域を検出する肌色利用方式や、顔部品を検出することによって顔があるらしい領域を検出する顔部品検出方式や、これら方式を併用した方式等を適用することにより、顔検出を行っている。この場合において、ＭＰＵ３１は、多層ニューラルネットワーク、サポートベクトルマシン、判別分析等の統計的な手法を用いて実現することができる。また、それ以外の手法としては、たとえば、「荒木祐一，島田伸敬，白井良明：“背景と顔の方向に依存しない顔の検出と顔方向の推定”、信学技報，ＰＲＭＵ２００１−２１７，ｐｐ．８７−９４（２００２−０１）」があげられる。そして、この参考文献によれば、ＭＰＵ３１は、顔の部位を確率付きで求め、弛緩法を用いて顔の検出を行うことが可能になる。
【００２７】
次にＭＰＵ３１は、入力された画像データに対応する画像に人の顔が含まれていたか否かを判別する（ステップＳ２２）。
ステップＳ２２の判別において、人の顔が含まれていた場合、すなわち、人Ｍの顔Ｆが含まれる領域が画像に含まれていた場合には（ステップＳ２２；Ｙｅｓ）、ＭＰＵ３１は、人の顔、すなわち、人の肌の色が検出された箇所を明確にするため、図３（Ｂ）に模式的に示すように、各領域（図３（Ｂ）では、領域ＡＦ）にラベルＬを付与し（ステップＳ２３）、代表色情報としての顔位置の中心付近の色情報、位置（たとえば、顔領域を矩形で表現する場合の領域開始座標のｘ座標、ｙ座標）や領域のサイズ等を記録し（ステップＳ２４）、処理を終了する。
一方、ステップＳ２２の判別において、入力された画像データに対応する画像に人の顔が含まれていない場合には（ステップＳ２２；Ｎｏ）、記憶色領域における色補正を行う必要がないので、そのまま顔検出処理を終了する。
【００２８】
次にＭＰＵ３１は、表示装置２３を制御し、入力された画像データに対応する画像を表示して、印刷指示入力待ち状態となる（ステップＳ１３）。
なお、ここでは、ステップＳ１２の顔検出処理の後にステップＳ１３の画像表示を行う場合について説明したが、ステップＳ１１の画像読み込みの後にステップＳ１３の画像表示を行うようにしてもよい。
そしてＭＰＵ３１は、操作入力装置２１を介して印刷が指示されたか否か、すなわち、印刷命令が入力されたか否かを判別する（ステップＳ１４）。
【００２９】
ステップＳ１４の判別において、印刷命令が入力されなかった場合には（ステップＳ１４；Ｎｏ）、画像データの表示処理のみでよいと判断して、再び処理をステップＳ１１に移行し、次の処理対象の画像データの指示が与えられるまで待機状態となる。
ステップＳ１４の判別において、印刷命令が入力された場合には、コントロール装置２８のＭＰＵ３１はプリンタ装置２７を制御して、印刷を開始して画像形成を行い、時刻ｔ１において、図３（Ｃ）中、画像形成に伴って、黒丸で示す測色位置Ｐまで記録ヘッドが移動したら記録ヘッド２７Ａに設けられた光学センサ２７Ｂを用いて測色処理を行う（ステップＳ１５）。
【００３０】
図６は、印刷および測色処理の処理手順のフローチャートである。
まず、コントロール装置２８のＭＰＵ３１は、顔検出処理において記録したラベルに基づいて測色位置を決定する（ステップＳ３１）。すなわち、人の顔の肌の色を印刷すべき領域のうち、当該印刷において、人の顔の肌の色が最初に印字される位置を測色位置として決定する。
続いてＭＰＵ３１は、プリンタ装置２７を制御し、記録ヘッドを走査しつつ、記録用紙を搬送して、記録用紙に印刷を行う（ステップＳ３２）。
この印刷処理と並行して、ＭＰＵ３１は、ステップＳ３１で決定した測色位置（測定位置）に光学センサの測定位置が至ったか否かを判別する（ステップＳ３３）。
ステップＳ３３の判別において、ステップＳ３１で決定した測色位置（測定位置）に光学センサの測定位置が未だ至っていない場合には（ステップＳ３３；Ｎｏ）、処理を再びステップＳ３２に移行し、以下、同様の処理を行う。
【００３１】
ステップＳ３３の判別において、ステップＳ３１で決定した測色位置（測定位置）に光学センサ２７Ｂの測定対象位置が至った場合には（ステップＳ３３；Ｙｅｓ）、光学センサ２７Ｂにより測色処理を行い、当該測定対象位置における記憶色の実際の色を測定し、測定結果を色情報データとして保存、記録して（ステップＳ３４）、処理を終了する。
この場合において、光学センサ２７Ｂにより検出される記憶色の実際の色（色特性）は、記録用紙の特性により望んでいた色とは異なっている可能性がある。そこで、コントロール装置２８のＭＰＵ３１は、ステップＳ３４の処理において測色された結果に基づいて、記憶色に要求される色調、すなわち、人が人の顔の肌の色として想起する、好ましい色（所定の基準記憶色に相当）で顔の肌の色が印刷されるようにＬＵＴ１７を補正すべく変換する。そして、以降は、ＭＰＵ３１は、プリンタ装置２７を制御して、人の肌以外の部分には、通常のＬＵＴを適用し、人の肌の部分は、補正後のＬＵＴ（あるいは、誤差が一番小さいＬＵＴ）を適用すべく、印刷を再開し、継続する（ステップＳ１６）。
【００３２】
ここで、ＬＵＴ変換処理について詳細に説明する。
図７は、ＬＵＴ変換処理のサブルーチンの処理手順を示すフローチャートである。
まず、コントロール装置２８のＭＰＵ３１は、ステップＳ３４で得られた色情報データに基づいて、印刷時の顔の肌の色、ひいては、画像内の人の肌の色が記憶している色と合致して、好ましい色合いになるようＬＵＴ１７を補正するテーブル変換処理（あるいは、テーブル変更処理）を行う（ステップＳ４１）。
具体的には、現在のＬＵＴ１７を構成する各値を、写像先（所定の基準記憶色のＬＵＴに相当）の値とするための変換行列を求めて補正を行う。あるいは、ＬＵＴ１７を複数用意しておき、それらの中から人が人の顔の肌の色として想起する、好ましい色である所定の基準記憶色にもっとも近い写像が出来るＬＵＴ１７、すなわち、誤差が一番小さいＬＵＴを選択するようにしてもよい。
【００３３】
続いて、ＭＰＵ３１は、現在の印刷対象の画素の色が、人の肌の色に対応する色域に属する色であるか否かに基づいて、ＬＵＴを補正後のＬＵＴ（あるいは、誤差が一番小さいＬＵＴ）に切り換えるか否かを画素ごとに判別する（ステップＳ４２）。
そして、ＭＰＵ３１は、プリンタ装置２７を制御して、記録ヘッド２７Ａを操作しつつ駆動し、人の肌以外の部分には、通常のＬＵＴを適用し、人の肌の部分は、補正後のＬＵＴ（あるいは、誤差が一番小さいＬＵＴ）を適用して印刷を行う（ステップＳ４３）。
以上の説明のように、本実施形態によれば、たとえば、サードパーティー製の記録用紙のように、プリンタ装置２７のメーカーがサポートしていない未知の特性を持った記録用紙であっても，記録用紙に対する実際の印刷時に、測色を行ってＬＵＴの補正をするので、記録用紙の特性に影響されない印刷結果を得ることができる。
【００３４】
この結果、ユーザは、プリンタ装置２７に対して印刷命令を出させるだけで、印刷を開始し、実際に画像を記録（印刷）する記録用紙上に最初に記憶色による画像が形成された段階で、リアルタイムに当該画像の形成（印刷）位置を測色して補正を行い、以降の印刷処理においては、記憶色で画像が形成される領域内の画素に対しては、色補正を行って印刷を行うため，ユーザに一連の動作を意識させることなく，煩雑な作業を強いることもなく記憶色の色補正を容易、かつ、確実に実現できる。この結果、記録用紙の特性の影響を低減して、ユーザの記憶している色に則した色を有する印刷物を得ることが可能となる。
【００３５】
以上の説明においては、走査型の記録ヘッドに光学センサを設け、走査しながら測色を行う場合について説明したが、ラインセンサを記録ヘッドとは別個に設けたり、走査機構を有する光学センサを別途設けるように構成することも可能である。
また、光学センサを設ける位置については、記録ヘッドが片方向印刷を行う場合には、記録ヘッドの記録位置に対し主走査方向後方に一つ設ける、あるいは主走査方向に対し記録ヘッドとほぼ同一位置であって、副走査方向の前方（記録用紙の搬送方向前方）に一つ設けるようにすればよい。
また、双方向印刷を行う記録ヘッドを適用することもできる。記録ヘッドが双方向印刷を行う場合には、走査方向に対して、記録ヘッドを挟むように、走査方向前方および走査方向後方に二つの光学センサを設ける、あるいは主走査方向に対し記録ヘッドと同一位置であって、副走査方向の前方（記録用紙の搬送方向前方）に一つ設けるようにすればよい。
【００３６】
以上の説明においては、記憶色により画像が形成する領域として、人の顔の領域を用いていたが、これに限られることはなく、色特性読取部（色特性検出部）により入力された画像データに基づく記録用紙上への画像形成中に所定の記憶色の画像が形成されると、記録用紙上における記憶色の色特性を検出し、色変換部（色補正部）により検出した色特性が所定の基準色特性となるように色補正して、当該画像形成中の画像の以降の画像形成処理に反映するようにすれば同様の効果、すなわち、別途キャリブレーション処理を行う必要なく、ユーザの記憶色のイメージに沿った画像を得ることができる。
以上の説明では、色特性を検出する位置を人の顔の領域内のいずれかとしていたが、これに限られることはなく、所定の記憶色で画像が最初に形成される記録用紙上の位置を予め特定しておき、特定された位置に画像が形成されると、当該位置における色特性を検出して、当該画像形成中の画像の以降の画像形成処理に反映するようにしてもよい。
【００３７】
これにより、画像形成中に当該画像形成中の画像の色補正を確実に行えるとともに、その処理は、少なくとも所定の記憶色で画像が最初に形成された場合だけでよいため、別途キャリブレーション処理を行う必要もなく、また、処理が不必要に複雑になることなく、ユーザの記憶色のイメージに沿った画像を得ることができる。
また、色特性を検出する位置は、所定の記憶色の画像が記録用紙に最初に形成される位置に限られず、当該記憶色の画像の印刷が終わる前であれば、記録用紙上のどの位置でもよい。
この場合、コントロール装置２８のＭＰＵ３１は、図６のステップＳ３１で、人の顔の肌の色を印刷すべき領域のうち、いずれかの位置を測色位置として決定する。このとき、測色位置を顔の輪郭より内側に設定することも可能である。そして、ＭＰＵ３１は、プリンタ装置２７を制御して記録用紙への印刷を行い、上記測色位置に光学センサ２７Ｂの測定位置が至ったとき、当該光学センサ２７Ｂにより測色処理を行う。
【００３８】
このように、色特性の検出位置を、上記記憶色の画像のエッジ部分より内側に設定することができるので、当該検出位置での測色処理を精度良く行うことができる。したがって、色特性の補正を精度良く行うことができ、検出位置以降の画像形成処理において、よりユーザの記憶色のイメージに沿った画像を得ることができる。
また、以上の説明では、色特性の補正を行う際、ＬＵＴ変換処理にて所定の記憶色に対応するＬＵＴのみを更新する場合について説明したが、これに限られることはなく、上記記憶色以外の色を含むＬＵＴ全体を更新するようにしてもよい。
この場合、コントロール装置２８のＭＰＵ３１は、図７のステップＳ４１で、記憶色以外の色についても、当該記憶色と同じ傾向の色補正を行うようにＬＵＴ全体を補正する。あるいは、誤差が一番小さいＬＵＴを選択する。そして、ステップＳ４２のテーブル切り替え判定処理をスキップし、ステップＳ４３で、人の肌の部分であるか人の肌以外の部分であるかにかかわらず、補正後のＬＵＴ（あるいは、誤差が一番小さいＬＵＴ）を適用して印刷を行う。
【００３９】
その結果、所定の記憶色に対応するＬＵＴのみを更新することに起因する補正歪みを解消することができる。また、ＬＵＴ変換処理においてステップＳ４２の判定処理を行う必要がなくなり、処理を簡略化することができる。
以上の説明においては、記録用紙に印刷（画像形成）を行うたびに色特性の検出を行って、色補正を行う場合について説明したが、複数枚の同種の記録用紙に、同一の画像を形成（コピー）する場合には、最初の画像形成処理に用いた色補正を適用するようにすればよい。これにより、処理の迅速化が図れる。
また、以上の説明では、顔検出処理において、ラベルＬを付与することで顔領域を特定する方法を適用する場合について説明したが、これに限られることはなく、リスト形式で顔領域を特定することもできる。このとき、顔領域内の各位置（ｘ座標、ｙ座標）のリストを一時的にメモリ等に蓄積すればよい。この場合にも、ラベルＬを用いる場合と同様に、適正に顔領域を特定することができる。
【図面の簡単な説明】
【００４０】
【図１】実施形態の画像形成処理装置の機能構成概要ブロック図である。
【図２】画像形成処理装置をプリンタ／スキャナ複合機として構成した場合の概要構成ブロック図である。
【図３】実施形態の動作説明図である。
【図４】画像形成処理のメインルーチンの処理手順を示すフローチャートである。
【図５】顔検出処理の処理手順を示すフローチャートである。
【図６】印刷および測色処理の処理手順のフローチャートである。
【図７】ＬＵＴ変換処理のサブルーチンの処理手順を示すフローチャートである。
【符号の説明】
【００４１】
１０…画像形成処理装置、１１…画像入力部、１２…画像格納部、１３…記憶色領域検出部、１４…画像表示部、１５…印刷部、１６…色特性読取部、１７…ＬＵＴ、１８…色変換部、１９…判定部、２１…操作入力装置、２２…スキャナ装置、２３…表示装置、２４…外部記憶装置、２５…カードリーダライタ装置、２６…通信インタフェース装置、２７…プリンタ装置、２７Ａ…記録ヘッド、２７Ｂ…光学センサ（色特性読取部）、２８…コントロール装置（記憶色領域検出部）
【図１】
2009207121.tif 000003
【図２】
2009207121.tif 000004
【図３】
2009207121.tif 000005
【図４】
2009207121.tif 000006
【図５】
2009207121.tif 000007
【図６】
2009207121.tif 000008
【図７】
2009207121.tif 000009